【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
第１の側面および第２の患者対面側面を有する高水蒸気透過率ドレープと；
熱伝導性の蒸気透過性部材であって：
第１の側面および第２の患者対面側面を有するドレープ境界部材であって、前記ドレープ境界部材の前記第１の側面が前記高水蒸気透過率ドレープの前記第２の患者対面側面に近接しているドレープ境界部材
第１の側面および第２の患者対面側面を有する患者境界部材であって、前記患者境界部材の前記第２の患者対面側面が前記患者に近接している患者境界部材、および
前記ドレープ境界部材と前記患者境界部材を熱的に結合する結合部材
を含む熱伝導性の蒸気透過性部材と；
前記ドレープ境界部材と前記患者境界部材との間に配置された液体処理部材であって、前記創傷からの液体を少なくとも一時的に保持するように動作可能な液体処理部材と
を含み、
前記熱伝導性の蒸気透過性部材は、前記患者からの体温を前記高水蒸気透過率ドレープへ伝えて、前記高水蒸気透過率ドレープを通る蒸気透過を増大させるように動作可能であることを特徴とする、創傷ドレッシング。
【請求項２】
請求項１に記載の創傷ドレッシングにおいて、前記高水蒸気透過率ドレープの厚さが３０ミクロン以下であることを特徴とする、創傷ドレッシング。
【請求項３】
請求項１または２に記載の創傷ドレッシングにおいて、前記熱伝導性の蒸気透過性部材が活性炭部材を含むことを特徴とする、創傷ドレッシング。
【請求項４】
請求項１または２に記載の創傷ドレッシングにおいて、前記熱伝導性の蒸気透過性部材が、金属繊維を備える材料を含むことを特徴とする、創傷ドレッシング。
【請求項５】
請求項１または２に記載の創傷ドレッシングにおいて、前記熱伝導性の蒸気透過性部材が酸化亜鉛を含むことを特徴とする、創傷ドレッシング。
【請求項６】
請求項１または２に記載の創傷ドレッシングにおいて、前記熱伝導性の蒸気透過性部材が銀を含むことを特徴とする、創傷ドレッシング。
【請求項７】
請求項１または請求項１乃至６の何れか一項に記載の創傷ドレッシングにおいて、前記液体処理部材が、発泡部材、不織部材、高吸収材、およびゲル材料のうちの１つを含むことを特徴とする、創傷ドレッシング。
【請求項８】
請求項１または請求項１乃至７の何れか一項に記載の創傷ドレッシングにおいて、さらに、前記液体処理部材の少なくとも一部分と前記熱伝導性の蒸気透過性部材との間に配置されたフィルタリング層を含むことを特徴とする、創傷ドレッシング。
【請求項９】
請求項１または請求項１乃至８の何れか一項に記載の創傷ドレッシングにおいて、さらに、前記高水蒸気透過率ドレープの前記第１の側面に結合されて、外部エネルギーを受け取るナノアンテナを含むことを特徴とする、創傷ドレッシング。
【請求項１０】
請求項１または請求項１乃至９の何れか一項に記載の創傷ドレッシングにおいて、前記高水蒸気透過率ドレープが、少なくとも部分的に波形であることを特徴とする、創傷ドレッシング。
【請求項１１】
請求項１または請求項１乃至１０の何れか一項に記載の創傷ドレッシングにおいて、前記液体処理部材が、ヒドロ活性化による発熱材料を含み、前記発熱材料が、創傷滲出液と反応して熱を発生させることを特徴とする、創傷ドレッシング。
【請求項１２】
請求項１または請求項１乃至１１の何れか一項に記載の創傷ドレッシングにおいて、前記液体処理部材が、創傷滲出液に発熱反応して熱を発生させる酸化カルシウムを含むことを特徴とする、創傷ドレッシング。
【請求項１３】
請求項１または請求項１乃至１２の何れか一項に記載の創傷ドレッシングにおいて、さらに、
励起されると、熱エネルギーをもたらすように動作可能な電気的な加熱素子であって、前記高水蒸気透過率ドレープに熱的に結合される、電気的な加熱素子と；
前記電気的な加熱素子に電気的に結合される電力供給装置と；
前記電力供給装置および電気的な加熱素子に結合される制御回路と
を含むことを特徴とする、創傷ドレッシング。
【請求項１４】
請求項１または請求項１乃至１３の何れか一項に記載の創傷ドレッシングにおいて、さらに、動かされると熱エネルギーをもたらすように動作可能な圧電部材を含み、前記圧電部材が、前記高水蒸気透過率ドレープに熱的に結合されていることを特徴とする、創傷ドレッシング。
【請求項１５】
請求項１または請求項１乃至１４の何れか一項に記載の創傷ドレッシングにおいて、さらに、
前記熱伝導性の蒸気透過性部材の前記患者境界部材に近接して配置されたマニホールド部材と；
前記マニホールド部材に流体的に結合された減圧源と
を含むことを特徴とする、創傷ドレッシング。
【請求項１６】
請求項１または請求項２乃至１４の何れか一項に記載の創傷ドレッシングにおいて、さらに、
前記熱伝導性の蒸気透過性部材の患者境界部材に近接して配置されたマニホールド部材と；
前記マニホールド部材に流体的に結合された減圧源であって、前記減圧源は、前記高水蒸気透過率ドレープに結合されたマイクロポンプを含み、および前記マイクロポンプは、前記高水蒸気透過率ドレープに熱的に結合されてそこに熱を送達する、減圧源と
を含むことを特徴とする、創傷ドレッシング。
【請求項１７】
請求項１または請求項１乃至１６の何れか一項に記載の創傷ドレッシングにおいて、前記ドレープ境界部材の平面の表面積が、前記患者境界部材の平面の表面積を下回ることを特徴とする、創傷ドレッシング。
【請求項１８】
請求項１または請求項１乃至１７の何れか一項に記載の創傷ドレッシングにおいて、さらに、前記高水蒸気透過率ドレープに熱的に結合された、動きによって活性化される加熱素子を含むことを特徴とする、創傷ドレッシング。
【請求項１９】
請求項１または請求項１乃至１８の何れか一項に記載の創傷ドレッシングにおいて、さらに、前記高水蒸気透過率ドレープの前記第１の側面に熱を伝える外部加熱器を含むことを特徴とする、創傷ドレッシング。
【請求項２０】
請求項１または請求項１乃至１９の何れか一項に記載の創傷ドレッシングにおいて、さらに、前記高水蒸気透過率ドレープの前記第１の側面上に外部バッフルと、前記バッフルに空気の流れを送達するエアムーバーとを含むことを特徴とする、創傷ドレッシング。
【請求項２１】
請求項１または請求項１乃至２０の何れか一項に記載の創傷ドレッシングにおいて、前記創傷ドレッシングが、時間をかけて、前記ドレッシングが蒸発させずに物理的に保持できるよりも多くの液体を処理するように動作可能であることを特徴とする、創傷ドレッシング。
【請求項２２】
創傷ドレッシングの製造方法において、
熱伝導性の蒸気透過性部材を提供するステップであって、前記熱伝導性の蒸気透過性部材が：
第１の側面および第２の患者対面側面を有するドレープ境界部材、
第１の側面および第２の患者対面側面を有する患者境界部材であって、前記患者境界部材の前記第２の患者対面側面が前記患者に近接して配置される患者境界部材、および
前記ドレープ境界部材と前記患者境界部材を熱的に結合する結合部材
を含むステップと；
前記ドレープ境界部材と前記患者境界部材との間に液体処理部材を配置するステップであって、前記液体処理部材が、前記創傷からの液体を少なくとも一時的に保持するように動作可能であるステップと；
第１の側面および第２の患者対面側面を有する高水蒸気透過率ドレープを、前記熱伝導性の蒸気透過性部材を覆うように配置するステップであって、前記ドレープ境界部材の前記第１の側面が前記高水蒸気透過率ドレープの前記第２の患者対面側面に近接しているステップと
を含むことを特徴とする、方法。
【請求項２３】
請求項２２に記載の方法において、さらに、前記高水蒸気透過率ドレープの前記第１の側面にナノアンテナを結合するステップを含むことを特徴とする、方法。